(57)【要約】【課題】吸収パッドを使用する場合において、ウエスト部の弾性伸縮部材によりウエストを密着させるとともに、ウエスト部の弾性伸縮部材の伸長に伴って吸収パッドが肌と密着または接近するようにする。【解決手段】裏面側に位置し少なくともウエスト部分が横方向に伸縮可能に構成された外装体１を備え、表面側から体液を受け入れて保持し裏面側への漏れを防止する吸収パッド１０が、その使用時において前記外装体１の使用面側に連結固定されるパッド型おむつ構造において、前記吸収パッド１０の腹側および背側のそれぞれの端部において、横方向に長い帯状で、横方向に伸ばすと縦方向に収縮する弾性伸縮部材２０が固定され、使用時において、前記背側及び腹側のウエスト部分に、前記弾性伸縮部材２０を前記外装体の使用面側に連結固定し、前記吸収パッド１０は前記連結固定領域を除く前後方向中間領域の実質的に全体が前記外装体１と固定関係にない構造である。【選択図】図１６
2008113684.tif 000002
【特許請求の範囲】
【請求項１】
裏面側に位置し少なくともウエスト部分が横方向に伸縮可能に構成された外装体に対し、表面側から体液を受け入れて保持し裏面側への漏れを防止する吸収パッドが、その使用時において前記外装体の使用面側に連結固定されるパッド型おむつ構造において、
前記吸収パッドの腹側および背側のそれぞれの端部において、横方向に長い帯状で、横方向に伸ばすと縦方向に収縮する弾性伸縮部材が固定され、
使用時において、前記背側及び腹側のウエスト部分に、前記弾性伸縮部材を前記外装体の使用面側に連結固定し、
前記吸収パッドは前記連結固定領域を除く前後方向中間領域の実質的に全体が前記外装体と固定関係にない、
ことを特徴とするパッド型おむつ構造。
【請求項２】
裏面側に位置し少なくともウエスト部分が横方向に伸縮可能に構成された外装体に対し、表面側から体液を受け入れて保持し裏面側への漏れを防止する吸収パッドが、その使用時において前記外装体の使用面側に連結固定されるパッド型おむつ構造において、
前記吸収パッドの背側及び腹側のうち一方の端部において、横方向に長い帯状で、横方向に伸ばすと縦方向に収縮する弾性伸縮部材が固定され、
使用時において、前記弾性伸縮部材とこれと対応する前記吸収パッドの一端部とを連結固定し、前記吸収パッドの他端部は直接的に前記外装体と固定し、
前記吸収パッドは前記連結固定領域を除く前後方向中間領域の実質的に全体が前記外装体と固定関係にない、
ことを特徴とするパッド型おむつ構造。
【請求項３】
前記弾性伸縮部材は、一方の端部あたり２つの単位弾性伸縮部材を備え、これらの単位弾性伸縮部材が、前記吸収パッドの各隅部と、この隅部から横方向及び前後方向から離れる斜め外方に向かった位置とを繋ぐ方向にそれぞれ配置され、
各単位弾性伸縮部材の第１端部は前記吸収パッドの隅部に固定され、使用時において、各単位弾性伸縮部材の第２端部は前記外装体にそれぞれ連結固定されるように構成されている請求項１または２記載のパッド型おむつ構造。
【請求項４】
前記外装体は、ショーツ、テープ式おむつまたはパンツ型おむつである請求項１〜３のいずれか１項に記載のパッド型おむつ構造。
【発明の詳細な説明】
【技術分野】
【０００１】
本発明は、ショーツ（男女用を問わない）、テープ式おむつまたはパンツ型おむつなどの外装体の使用面側に吸収パッドをあてがい使用するパッド型おむつ構造に関する。
【背景技術】
【０００２】
ショーツなどの下着の使用面側に吸収パッドをあてがい使用することが行われている。しかし、着用者の動きによってショーツはずれ落ちたりすることが多く、吸収パッドと肌との間から漏れることが多い。
他方、いわゆるテープ式（使い捨て）おむつは、パンツ型のおむつが主に幼児を対象とするものであるのに対し、乳児用を中心に採用されている。成人の場合には、自身による着用の可否によって使い分けが行われている。
テープ式おむつとしては、近年では、粘着テープ式のものに代わって、メカニカルファスニングテープが汎用されている。また、留め金（ホック）式のおむつも知られているが、おむつカバーを中心として採用されているのみで、市販品のおむつ自体としては採用されていない。
いずれにしても、おむつ一般として体液の漏れの多くは脚周りにおいて生じる。その原因のほとんどが、着用時において、吸収体と肌との離間を生じることが原因である。そこで、バリヤーカフスによって、肌との接触を保持し、横漏れを防止する手法が多く採用されているが、吸収体と肌との離間距離が大きい場合には、バリヤーカフスの遠位縁の肌との接触が保てず、漏れの生じる原因となる。
このために、乳児の例を取って説明すると、装着者（母親など）は、おむつを装着後に、おむつを吊り上げる（持ち上げる）ようにし、吸収体と肌とが密着するようにしている。
しかし、おむつが股下側にずれ落ちた場合、吸収体と肌との密着性は失われ、その密着性を保持する機能はない。
特許文献１には、パンツ型おむつにおいて、第１連結帯及び第２連結帯によって液吸収性パッドを吊り上げるようにしたものが開示されている。
しかし、このものは本発明の連結式おむつとは異なり、あくまでも予め脇部がウエスト回りに連結されているパンツ型おむつであり、第１連結帯及び第２連結帯は前後方向及び横方向に伸縮性を有するとしても、ウエスト回り方向に伸縮する機能は有しない。
【特許文献１】特許第３８１１０８６号
【発明の開示】
【発明が解決しようとする課題】
【０００３】
したがって、本発明の主たる課題は、吸収パッドを使用する場合において、ウエスト部の弾性伸縮部材によりウエストを密着させるとともに、ウエスト部の弾性伸縮部材の伸長に伴って吸収パッドが肌と密着または接近するようになり、しかもおむつが股下側にずれ落ちたとしても吸収パッドを依然として肌と密着または接近する状態に維持することが可能なパッド構造を提供することにある。
【課題を解決するための手段】
【０００４】
上記課題を解決した本発明は次掲のとおりである。
＜請求項１項記載の発明＞
裏面側に位置し少なくともウエスト部分が横方向に伸縮可能に構成された外装体に対し、表面側から体液を受け入れて保持し裏面側への漏れを防止する吸収パッドが、その使用時において前記外装体の使用面側に連結固定されるパッド型おむつ構造において、
前記吸収パッドの腹側および背側のそれぞれの端部において、横方向に長い帯状で、横方向に伸ばすと縦方向に収縮する弾性伸縮部材が固定され、
使用時において、前記背側及び腹側のウエスト部分に、前記弾性伸縮部材を前記外装体の使用面側に連結固定し、
前記吸収パッドは前記連結固定領域を除く前後方向中間領域の実質的に全体が前記外装体と固定関係にない、
ことを特徴とするパッド型おむつ構造。
【０００５】
（作用効果）
本発明において、裏面側に位置し少なくともウエスト部分が横方向に伸縮可能に構成された外装体の代表例としては、ショーツなどの下着、テープ式おむつまたはパンツ型おむつである。
テープ式などの連結式おむつあるいはパンツ型おむつにおいて、予め外装体の脇部やウエスト回りに横方向に伸縮するウエスト伸縮部材が設けられている場合、着用時にその弾性伸縮部材の伸長力を開放したときに伸縮する。
いま、テープ式おむつを外装体とする例に沿ってその作用効果を説明する。
前記背側及び腹側における、連結手段としてのテープの止着による横方向締め付け作用領域に、吸収パッド使用時において、横方向に伸ばすと縦方向に収縮する弾性伸縮部材２０（図面参照）をそれぞれ外装体１に横方向に連結固定する。したがって、止着テープを腹側に持ち込み外装体１の腹側と連結した状態でおむつを着用すると、図３に示すように、弾性伸縮部材２０は横方向に引っ張られ、縦方向に収縮する。その際、弾性伸縮部材２０と吸収パッド１０の前後方向端部とをそれぞれ固定しているので、しかも、吸収パッド１０は前記連結固定領域を除く前後方向中間領域の実質的に全体が外装体１と固定関係にないので、弾性伸縮部材２０のその幅方向（前後方向）の収縮が、図３〜図５の矢印Ｆのように、吸収パッド１の股下部を前後方向に持ち上げる（吊り上げる）ように作用する。
その結果、吸収パッド１０が着用者の肌側に接近または密着するようになり、股下部における横漏れを防止する。また、弾性伸縮部材２０の伸長に伴う復元力が、ウエスト回りを締め付け、前後漏れ防止効果が高いものとなる。
仮に、着用後に着用者の動きなどによって、おむつ（外装体）がずれ落ちたとしても、胴回りの周長は腰部から臀部に下がるに従って大きくなるため、弾性伸縮部材２０は横方向にさらに伸長され、吸収パッド１の股下部を前後方向にさらに持ち上げる（吊り上げる）ように力が作用するので、吸収パッド１が着用者の肌側に接近または密着する状態を維持できる。
また、上記形態では、弾性伸縮部材２０を前後にそれぞれ設けたので、前後方向一方に設ける場合に比較して、吸収パッド１の股下部を前後方向に持ち上げる量が多くなり、吸収パッド１が着用者の肌側に好適に接近または密着するようになる。
パンツ式おむつの場合には、着用時において、少なくともウエスト回りに設けられたウエスト伸縮部材に抗してウエスト部分を拡開すると、同様に、弾性伸縮部材２０の横方向の伸長に伴って、弾性伸縮部材２０が縦方向に収縮する。その結果、吸収パッド１の股下部を前後方向に持ち上げる（吊り上げる）ように作用する。
もちろん、ウエスト部分に予め伸縮部材などにより伸縮可能に設けられたショーツなどの下着においても、その装着時に収縮により、吸収パッド１の股下部を前後方向に持ち上げる（吊り上げる）ように作用する。
従来、通常のパッド型おむつ構造においては着用者が座ると足回りに隙間ができやすいが、本発明の構造によれば、着用者が座ると胴回りが膨らむことにより、弾性伸縮部材の伸長に伴って、吸収性パッドが股部に引き寄せられ、隙間ができにくい。
【０００６】
＜請求項２項記載の発明＞
裏面側に位置し少なくともウエスト部分が横方向に伸縮可能に構成された外装体に対し、表面側から体液を受け入れて保持し裏面側への漏れを防止する吸収パッドが、その使用時において前記外装体の使用面側に連結固定されるパッド型おむつ構造において、
前記吸収パッドの背側及び腹側のうち一方の端部において、横方向に長い帯状で、横方向に伸ばすと縦方向に収縮する弾性伸縮部材が固定され、
使用時において、前記弾性伸縮部材とこれと対応する前記吸収パッドの一端部とを連結固定し、前記吸収パッドの他端部は直接的に前記外装体と固定し、
前記吸収パッドは前記連結固定領域を除く前後方向中間領域の実質的に全体が前記外装体と固定関係にない、
ことを特徴とするパッド型おむつ構造。
【０００７】
（作用効果）
弾性伸縮部材は前後方向の一方のみに設けた場合においても、前述と同様な作用効果を示す。
【０００８】
＜請求項３項記載の発明＞
前記弾性伸縮部材は、一方の端部あたり２つの単位弾性伸縮部材を備え、これらの単位弾性伸縮部材が、前記吸収パッドの各隅部と、この隅部から横方向及び前後方向から離れる斜め外方に向かった位置とを繋ぐ方向にそれぞれ配置され、
各単位弾性伸縮部材の第１端部は前記吸収パッドの隅部に固定され、使用時において、各単位弾性伸縮部材の第２端部は前記外装体にそれぞれ連結固定されるように構成されている請求項１または２記載のパッド型おむつ構造。
【０００９】
（作用効果）
この作用については後述する。
【００１０】
＜請求項４項記載の発明＞
前記外装体は、ショーツ、テープ式おむつまたはパンツ型おむつである請求項１〜３のいずれか１項に記載のパッド型おむつ構造。
【発明の効果】
【００１１】
本発明においては、要すれば、吸収パッドを使用する場合において、弾性伸縮部材の復元力によって、ウエスト回り方向に締め付けて密着させるとともに、装着時の弾性伸縮部材の伸長あるいは着用者が座った際に胴回りが膨らむことによる弾性伸縮部材の伸長に伴って、吸収パッドが股部に引き寄せられ、隙間ができにくいものとなる。しかも外装体が股下側にずれ落ちたとしても吸収パッドを依然として肌と密着または接近する状態に維持することが可能となる。したがって、ウエスト部分及び股下部での漏れを防止することができる。
【発明を実施するための最良の形態】
【００１２】
以下本発明をいくつかの実施の形態を挙げて本発明をさらに詳説する。
＜第１の実施の形態＞
図１〜図５は第１の実施の形態を示したものである。図１において、Ｘが横方向、Ｙが前後方向を示し、前後方向Ｙの中間は股下部Ｌとなっている。股下部Ｌは脚周りに該当する前後方向のおむつの中間領域である。
１は裏面側に位置する、表面側から体液を受け入れて保持し裏面側への漏れを防止する外装体であり、外装体がおむつである場合、その代表例は、不織布などからなる透液性表面シート１Ａと、液不透過性のたとえばポリエチレンなどのプラスチック裏面シート１Ｂと、それらの間に介在された吸収体１３とを備える形態を挙げることができる。
図示のように、テープ式おむつが外装体１である場合、背側両側に止着手段、実施の形態では多数のオス要素２Ａを有するメカニカルファスナーテープ２、２が固定され、これらのメカニカルファスナーテープ２、２は、腹側に持ち込み外装体１の腹側に予め設けられたメス要素を有するターゲットテープ３、あるいはターゲットテープ３なしで外装体１の裏面自体がメス要素を構成する不織布とすることで対象の止着位置とした領域に連結される。実施の形態では、メカニカルファスナーテープ２、２と、ターゲットテープ３とが連結手段を構成している。この連結手段は、おむつの背側及び腹側を着用者に対し横方向Ｘに締め付ける。なお、図示していないが、外装体１の少なくともウエスト部分に弾性伸縮部材を予め設けておき、ウエスト部分を伸縮可能にしておくのが望ましい。
【００１３】
外装体１の内面側には、表面側から体液を受け入れて保持し裏面側への漏れを防止する吸収パッド１０が設けられている。
吸収パッド１０の形態は適宜でよいが、たとえば不織布からなる内面シート１１と、液不透過性のたとえばポリエチレンなどのプラスチック裏面シート１２と、それらの間に介在された吸収体１３とを形態を挙げることができる。吸収体１３としては綿状パルプと高吸収性ポリマーとを含むもののほか、綿状パルプ等の短繊維を積繊したものに換えて、フィラメントの集合体からなるもの等も使用できる。フィラメントの集合体は、トウ（繊維束）を開繊することにより得ることができる。トウ構成繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。この例示の吸収体１３の素材は、外装体１の吸収体１Ｃの素材としても使用できる。
【００１４】
吸収パッド１０には、必要により、バリヤーカフス１４及び又はガスケットカフス（図示せず）を設けることができる。図示例のバリヤーカフス１４は、自由部先端に糸ゴム１４Ａを設け、使用状態において、自由部を起立させるようにしたものである。
本発明においては、横方向に長い帯状で、横方向に伸ばすと縦方向に収縮する弾性伸縮部材２０、２０を、吸収パッド１０の前後方向Ｙ両端部に対して、ホットメルト接着剤３１などによりそれぞれ固定してある。横方向（図１におけるＸ方向）における弾性伸縮部材２０、２０の長さは、横方向における吸収パッド１０の長さと同じまたはそれ以下でもよいが、前述の持上げる力を大きく作用させるため、図示例のように、横方向における吸収パッド１０の長さよりも長くすることが好ましい。
また、弾性伸縮部材２０、２０の長手方向（外装体の横方向）の両端部には、連結固定手段３０が設けられている。図示例の連結固定手段３０としては、吸収パッド１０の裏面に予め設けられたホットメルト接着剤である。
このホットメルト接着剤３０の位置は、図６にも示すとおりであるが、その他、図７のように横方向に沿って、図８のようにＬ字状のものを対向する形態などで適宜配置できる。ホットメルト接着剤３０を横方向に間欠的に設けることもできる。
他方で、弾性伸縮部材２０、２０の配設位置としては、かかる連結式おむつにおいては、背側及び腹側における、前記連結手段（メカニカルファスナーテープ２）による横方向Ｘ締め付け作用領域（連結の結果、前後に締め付け作用領域が生じる）に、横方向（それ自身では長手方向）に沿って配設するのが望ましい。
弾性伸縮部材２０、２０の外装体１への固定、あるいは吸収パッド１０との連結固定は、ホットメルト接着剤３０、３１によるのが望ましいが、それぞれオス要素とメス要素との組み合わせによるメカニカルファスナーにより連結固定することもできる。
【００１５】
さらに、吸収パッド１０は前記連結固定領域を除く前後方向Ｙ中間領域の実質的に全体が外装体１０と固定関係にないものとしてある。ただし、吸収パッド１０の前後方向Ｙ中間領域、股下部Ｌの前後方向一部を部分的に固定することを排除するものではない。
かかる形態では、吸収パッド１０を外装体１の使用面側に持ち込み、好ましくは、弾性伸縮部材２０の長手方向両端を持って伸長させた状態で、外装体１の表面シート１Ａに接着させる。その結果、図３に示すように、弾性伸縮部材２０の長手方向の伸長Ｆ０に伴って、弾性伸縮部材２０が幅方向に収縮する。その後に、止着手段としてのメカニカルファスナーテープ２、２を腹側に持ち込み外装体１０の腹側と連結すると、図３に示すように、弾性伸縮部材２０の長手方向にさらに伸長力Ｆ０をもって伸長され、その伸長に伴って、弾性伸縮部材２０が幅方向にさらに収縮する。その際、弾性伸縮部材２０と吸収パッド１０の前後方向端部とをそれぞれ連結固定しているので、しかも、吸収パッド１０は前記連結固定領域を除く前後方向中間領域の実質的に全体が外装体１と固定関係にないので、弾性伸縮部材２０の幅方向の収縮が、図３〜図５の矢印Ｆのように、吸収パッド１０の股下部を前後方向に持ち上げる（吊り上げる）ように作用する。
【００１６】
その結果、図５に示すように、吸収パッド１０が着用者の肌側に接近または密着するようになり、股下部Ｌにおける横漏れを防止する。また、弾性伸縮部材２０の伸長に伴う復元力が、ウエスト回りを締め付け、前後漏れ防止効果が高いものとなる。
仮に、着用後に着用者の動きなどによって、おむつがずれ落ちたとしても、胴回りの周長は腰部から臀部に下がるに従って大きくなるため、弾性伸縮部材２０は横方向にさらに伸長され、吸収パッド１０の股下部を前後方向にさらに持ち上げる（吊り上げる）ように力が作用するので、吸収パッド１０が着用者の肌側に接近または密着する状態を維持できる。
上記例では、吸収パッド１０の外装体１への連結固定時に弾性伸縮部材２０を伸長させ、メカニカルファスナーテープ２、２を腹側に持ち込み外装体１０の腹側と連結する段階でも、弾性伸縮部材２０を伸長させるものとした。しかし、後者の伸長度合いは前者のものと比較してあまり大きくないので、主に前者の伸長に頼る形態が望ましい。
図９は、図１の形態を概念的に図示し、弾性伸縮部材２０位置関係を判り易くしたものである。
【００１７】
＜他の実施の形態＞
図９の図示法に準じて図示した図１０及び図１１に示すように、背側及び腹側における弾性伸縮部材２０、２０の形状を異なるものとすることができる。
図１０の例では、腹側における弾性伸縮部材２０の幅を背側における前記弾性伸縮部材２０の幅より幅狭く、かつ短くし、腹への過度の圧迫を可能な限り防止したものである。
図１１の例では、逆に、腹側における弾性伸縮部材２０の幅が背側における弾性伸縮部材２０の幅より幅広とし、乳児の腹は太鼓状であり、腹側においてずれ落ち易いことに鑑み、前後方向に持ち上げる量を多くするようにしたものである。
図１２及び図１３に示すように、背側及び腹側のうち一方に弾性伸縮部材２０を設けることもできる。この場合、吸収パッド１０の他端部は直接的に外装体１と固定するものである。
なお、吸収パッド１０を前後方向に対称にすれば、使用経過に応じて前後を逆にして使用できる。
上記の弾性伸縮部材２０としては、ゴムシート、弾性発泡シート、弾性フィルム、伸縮性不織布シートが用いられる。また、図示を省略するが、２枚の基材シートの間に、あるいはその基材シートの一方に、多数の糸ゴムなどの糸状弾性伸縮部体２を斜め格子状（角度に限定はない）に配置し、これらの糸状弾性伸縮部体群により横方向の弾性伸縮部材２０を構成することもできる。
上記例では、吸収パッド１０にバリヤーカフスを形成したが、外装体１にバリヤーカフスを設けることもできる。
【００１８】
＜第２の実施の形態＞
他方、図１４に示すように、弾性伸縮部材は、一方の端部あたり２つの単位弾性伸縮部材２０Ａ、２０Ａを備え、これらの単位弾性伸縮部材２０Ａ、２０Ａが、吸収パッド１０の各隅部と、この隅部から横方向及び前後方向から離れる斜め外方に向かった位置とを繋ぐ方向にそれぞれ配置され、各単位弾性伸縮部材２０Ａ、２０Ａの第１端部は吸収パッド１０の隅部にホットメルト接着剤などにより固定され、使用時において、各単位弾性伸縮部材２０Ａ、２０Ａの第２端部は外装体１にそれぞれ連結固定されるように構成することもできる。この形態においても、単位弾性伸縮部材２０Ａ、２０Ａを背側又は腹側の一方のみに配置してもよい。
この場合においても、吸収パッド１０の股下部を前後方向に持ち上げる（吊り上げる）ように作用する。
【００１９】
＜第３の実施の形態＞
上記例は連結式おむつの場合であるが、パンツ型おむつにも本発明の構造を当然に適用できる。
この例を図１５及び図１６に示した。面側から体液を受け入れて保持し裏面側への漏れを防止する外装体１には、不織布などからなる透液性表面シートと、液不透過性のたとえばポリエチレンなどのプラスチック裏面シートと、それらの間に介在された吸収体とを備えるが、詳細を図示していない。表面シートと裏面シートとの間には、ウエスト回り部分及び脇部に糸ゴムなどからなるウエスト伸縮部材４０がその伸長下に固定されている。前後に両脇部には接合部１２Ａ、１２Ａ…を有し、前後を重ねた状態で超音波熱融着シールなどにより接合されることで、脚回り開口部ＬＯ及び腰回り開口部ＷＯがそれぞれ形成される。
かかる外装体１に対して、同様に吸収パッド１０が設けられるものである。
【００２０】
＜第４の実施の形態＞
上記例はそれぞれおむつの場合であるが、ショーツなどの下着にあてがう場合も、前記と同様の形態で実施できる。その例はパンツ型おむつの例に基づけば直ちに推測できるであろうから、図示及び説明を省略する。
【００２１】
＜第５の実施の形態＞
上記例の連結固定手段３０としては、吸収パッド１０の裏面に予め設けられたホットメルト接着剤であるが、メカニカルファスナーとすることも可能である。
他方、弾性伸縮部材２０を使用面側を覆うようにして不織布などのシートによって覆うことができる。
さらに、吸収パッド１０の裏面シート１２の裏面側に肌触りを向上させる不織布シートなどを設けることもできる。
【図面の簡単な説明】
【００２２】
【図１】本発明の連結式おむつの平面図である。
【図２】図１の２−２線矢視図である。
【図３】弾性伸縮部材の伸縮及び幅方向の収縮形態に説明図である。
【図４】図１の４−４線矢視図である。
【図５】着用状態の概要縦断面図である。
【図６】弾性伸縮部材の固定態様の説明図である。
【図７】弾性伸縮部材の固他の固定態様の説明図である。
【図８】弾性伸縮部材の別の固定態様の説明図である。
【図９】図１の弾性伸縮部材の固定態様を概念的に図示した説明図である。
【図１０】他の形態の説明図である。
【図１１】他の形態の説明図である。
【図１２】他の形態の説明図である。
【図１３】他の形態の説明図である。
【図１４】他の弾性伸縮部材の斜視図である。
【図１５】パンツ型おむつの斜視図である。
【図１６】その展開平面図である。
【符号の説明】
【００２３】
１…外装体、２…メカニカルファスナーテープ、３…ターゲットテープ、１０…吸収パッド、２０…弾性伸縮部材、３０…（連結固定用）ホットメルト接着剤、３１…（固定用）ホットメルト接着剤、４０…ウエスト伸縮部材。
【図１】
2008113684.tif 000003
【図２】
2008113684.tif 000004
【図３】
2008113684.tif 000005
【図４】
2008113684.tif 000006
【図５】
2008113684.tif 000007
【図６】
2008113684.tif 000008
【図７】
2008113684.tif 000009
【図８】
2008113684.tif 000010
【図９】
2008113684.tif 000011
【図１０】
2008113684.tif 000012
【図１１】
2008113684.tif 000013
【図１２】
2008113684.tif 000014
【図１３】
2008113684.tif 000015
【図１４】
2008113684.tif 000016
【図１５】
2008113684.tif 000017
【図１６】
2008113684.tif 000018